(57)【特許請求の範囲】
【請求項１】
投入した生ゴミを分解処理する生ゴミ処理機本体、および、この生ゴミ処理機本体の外形前面を形成する断面略コ字型の上カバーとこの上カバーの下方に位置する下カバーを有する生ゴミ処理装置であって、上記生ゴミ処理機本体と上記上カバーの側面側端部とのいずれか一方に係止片を設け、他方にこの係止片が係止する被係止部を設け、さらに、この被係止部と上記係止片とのいずれか一方にテーパーが形成されて、同被係止部と同係止片とを互いに係止させてなることを特徴とする生ゴミ処理装置。
【請求項２】
上記係止片が、上記上カバーの側面側端部に設けられたものであることを特徴とする請求項１記載の生ゴミ処理装置。
【請求項３】
上記係止片が、上記生ゴミ処理機本体に設けられたものであることを特徴とする請求項１記載の生ゴミ処理装置。
【発明の詳細な説明】
【０００１】
【発明の属する技術分野】
本発明は、生ゴミ処理装置に関し、具体的には、微生物の力を利用して生ゴミの分解処理を行うものであり、屋外に設置するタイプの生ゴミ処理装置に関するものである。
【０００２】
【従来の技術】
従来から微生物を利用して有機物及び水分を含有する生ゴミを環境に影響を与えない程度に分解処理（発酵）することが行われており、この処理を行う屋外に設置するタイプの生ゴミ処理装置が知られている。
【０００３】
この種の生ゴミ処理装置としては、例えば、図４に示すごとく、投入した生ゴミを分解処理する生ゴミ処理機本体（１）、および、この生ゴミ処理機本体（１）の外形前面を形成する上カバー（２）とこの上カバー（２）の下方に位置する下カバーを有しているものが知られており、上カバー（２）の上端は生ゴミ処理機本体（１）の上面部（９）に下方から差し込んで、同上カバー（２）の下端はビス（１０）にて止められているものであって、下カバーとしてはその下端が生ゴミ処理機本体（１）の下部に嵌め込まれるようになっていたものであった。
【０００４】
【発明が解決しようとする課題】
しかしながら、このような生ゴミ処理装置においては、上カバー（２）としては簡単に取り付けられるものの、図４に示すごとく、上カバー（２）の寸法のバラツキにより上カバー（２）の側面部分と生ゴミ処理機本体（１）の側面部分との間に隙間（１１）ができやすいものであり、上記上カバー（２）の寸法のバラツキにより、隙間（１１）の寸法としても安定しないものであり、この隙間（１１）が外観上で見苦しいものであった。また、この生ゴミ処理機本体（１）が屋外に設置された場合、雨などが降ると、この雨などの水が隙間（１１）より生ゴミ処理機本体（１）内に浸入する恐れのあるものであった。
【０００５】
本発明は、叙述の点に鑑みてなされたものであって、その目的とするところは、上カバーと生ゴミ処理機本体の側面部分との間の隙間やずれを確実になくすことができる生ゴミ処理装置を提供するところにある。
【０００６】
【課題を解決するための手段】
本発明の請求項１に係る生ゴミ処理装置は、投入した生ゴミを分解処理する生ゴミ処理機本体（１）、および、この生ゴミ処理機本体（１）の外形前面を形成する断面略コ字型の上カバー（２）とこの上カバー（２）の下方に位置する下カバー（３）を有する生ゴミ処理装置であって、上記生ゴミ処理機本体（１）と上記上カバー（２）の側面側端部とのいずれか一方に係止片（６）を設け、他方にこの係止片（６）が係止する被係止部（７）を設け、さらに、この被係止部（７）と上記係止片（６）とのいずれか一方にテーパー（８）が形成されて、同被係止部（７）と同係止片（６）とを互いに係止させてなることを特徴とする。
【０００７】
本発明の請求項２に係る生ゴミ処理装置は、上記係止片（６）が、上記上カバー（２）の側面側端部に設けられたものであることを特徴とする。
【０００８】
本発明の請求項３に係る生ゴミ処理装置は、上記係止片（６）が、上記生ゴミ処理機本体（１）に設けられたものであることを特徴とする。
【０００９】
【発明の実施の形態】
以下、本発明を実施形態に係る図面に基いて詳細に説明する。
【００１０】
図１は、本発明の一実施形態に係る生ゴミ処理装置の斜視図である。図２の（ａ）は、本発明の一実施形態に係る生ゴミ処理装置の要部の分解斜視図であり、図２の（ｂ）は、同図２の（ａ）の生ゴミ処理装置の要部透視図である。図３は、本発明の他の一実施形態に係る生ゴミ処理装置の要部の分解斜視図である。
【００１１】
本発明の生ゴミ処理装置は、図１ないし図３に示すごとく、投入した生ゴミを分解処理する生ゴミ処理機本体（１）、および、この生ゴミ処理機本体（１）の外形前面を形成する断面略コ字型の上カバー（２）とこの上カバー（２）の下方に位置する下カバー（３）を有する生ゴミ処理装置であって、上記生ゴミ処理機本体（１）と上記上カバー（２）の側面側端部とのいずれか一方に係止片（６）を設け、他方にこの係止片（６）が係止する被係止部（７）を設け、さらに、この被係止部（７）と上記係止片（６）とのいずれか一方にテーパー（８）が形成されて、同被係止部（７）と同係止片（６）とを互いに係止させてなっているものである。
【００１２】
上記生ゴミ処理機本体（１）は、投入した生ゴミを分解処理するものである。この生ゴミ処理機本体（１）の形状としては、図１に示すごとく、角形形状のものであってもかまわないし、その他にも意匠上で自由な形状に形成してもかまわないものである。例えば、この生ゴミ処理機本体（１）内には、微生物が生息したバイオチップと称されるおが屑状の木質細片のような担体よりなる生ゴミ処理材が入れられているものである。
【００１３】
そして、上記生ゴミ処理材としては、例えば、従来から公知の木質細片（例としてあげると特公平２−３０７６０号公報など）が使用できるものである。また、上記生ゴミ処理機本体（１）内には含水率センサーが配設されており、生ゴミ処理機本体（１）内の生ゴミ処理材の含水率を測定できるようになっているものである。
【００１４】
なお、上記生ゴミ処理機本体（１）の下部の外面部には、例えば、面ヒータを取着してあり、生ゴミ処理機本体（１）に装填した生ゴミ処理材の温度が低い場合に面ヒータにより加熱されるようになっているものである。この面ヒータも上記制御部で制御されるようになっているものである。
【００１５】
また、上記生ゴミ処理機本体（１）の上面部には、図１に示すごとく、開閉自在な開閉蓋（５）が設けられており、この開閉蓋（５）を開けることによって、生ゴミを自由に投入することができるものとなっている。
【００１６】
上記上カバー（２）は、断面略コ字型のものであって、上記生ゴミ処理機本体（１）の外形前面を形成しているものである。この上カバー（２）としては、上端部分が生ゴミ処理機本体（１）の端面付近に差し込まれるとともに、図２および図３に示すごとく、側面側端部を生ゴミ処理機本体（１）の側面部分（４）に差して上へ押し込み、そして、下端部分としては、特に制限されるものではないが、例えば、従来の場合と同様に、ビス穴が形成されており、このビス穴に生ゴミ処理機本体（１）の取付用穴が合わされて、ビス穴と取付用穴とにビスが挿着されて固定されるものである。
【００１７】
また、図１に示すごとく、上記下カバー（３）は、上記上カバー（２）と同様に、上記生ゴミ処理機本体（１）の外形前面を形成しているものであり、上記上カバー（２）の下方に位置しているものである。この下カバー（３）としても、上記上カバー（２）と同様に、断面略コ字型形状をしているものであり、同下カバー（３）の下端部分にバネ性を有する挿着片が形成されており、この挿着片が上記生ゴミ処理機本体（１）の下端に形成された受け片に差し込まれて、下カバー（３）の上端が上記上カバー（２）の下端部に嵌まって固定されるものであり、同下カバー（３）としては、着脱自在に形成されているものである。
【００１８】
上記係止片（６）は、図１ないし図３に示すごとく、上記生ゴミ処理機本体（１）と上記上カバー（２）の側面側端部とのいずれか一方に設けられているものである。この係止片（６）としては、上記被係止部（７）に係止することができるものであれば、そのサイズや形状などは、図示のものに限られるものではなく、自由自在に設定することができるものである。
【００１９】
上記被係止部（７）は、図１ないし図３に示すごとく、上記生ゴミ処理機本体（１）と上記上カバー（２）の側面側端部とのうち、上記係止片（６）が設けられた以外の一方に設けられているものである。この被係止部（７）は、上記係止片（６）が係止するものである。この被係止部（７）のサイズや形状などは、上記係止片（６）を係止させることができるものであれば、図示のものに限られるものではなく、自由自在に設定することができるものである。
【００２０】
本発明においては、図１ないし図３に示すごとく、上記被係止部（７）と上記係止片（６）とのいずれか一方にテーパー（８）が形成されているものである。このテーパー（８）の傾斜の角度などは、上記生ゴミ処理機本体（１）の形状やサイズなどに応じて、自由自在に設定することができるものであって、特に制限されるものではないものである。
【００２１】
なお、上述のごとく、上記テーパー（８）は、図１ないし図３に示すごとく、上記被係止部（７）に設けられていてもかまわないし、図示されていないが、上記係止片（６）に設けられていてもかまわないものである。
【００２２】
そして、本発明においては、上記被係止部（７）と上記係止片（６）とを互いに係止させてなっているものであり、上記テーパー（８）の存在により、係止片（６）が同テーパー（８）に誘導されるようにして被係止部（７）の内方へ嵌まり込み、その結果、被係止部（７）と係止片（６）とを互いに簡単、かつ、スムーズに係止させることができるものである。すなわち、このようなテーパー（８）により、上カバー（２）と生ゴミ処理機本体（１）の側面部分との間の隙間やずれを確実になくすことができるものとなる。
【００２３】
本発明は、このような構成をとることによって、上カバー（２）と下カバー（３）とは簡単に取り付けられる上に、上記生ゴミ処理機本体（１）と上記上カバー（２）の側面側端部とのいずれか一方に設けられた係止片（６）と他方に設けられた被係止部（７）とが互いに係止して、被係止部（７）と係止片（６）とのいずれか一方に形成されたテーパー（８）の存在により、係止片（６）が同テーパー（８）に誘導されるようにして被係止部（７）の内方へ嵌まり込み、その結果、被係止部（７）と係止片（６）とを互いに簡単、かつ、スムーズに係止させることができるものである。そして、このテーパー（８）により、上カバー（２）と生ゴミ処理機本体（１）の側面部分（４）との間の隙間やずれが埋められるものとなり、上カバー（２）と生ゴミ処理機本体（１）の側面部分（４）との間の隙間やずれができがたいものとなり、外観上できれいに納まるものである。
【００２４】
すなわち、本発明は、上カバー（２）と生ゴミ処理機本体（１）の側面部分（４）との間の隙間やずれを確実になくすことができるものである。
【００２５】
また、図１および図２の（ａ）、（ｂ）に示すごとく、上記係止片（６）が、上記上カバー（２）の側面側端部に設けられたものであると、この係止片（６）がテーパー（８）により生ゴミ処理機本体（１）に設けられた被係止部（７）に簡単、かつ、スムーズに嵌まり込み、その結果、上カバー（２）と生ゴミ処理機本体（１）の側面部分（４）との間の隙間やずれをより一層確実になくすことができるものとなり、外観上でより一層きれいに納まるものである。
【００２６】
さらに、図３に示すごとく、上記係止片（６）が、上記生ゴミ処理機本体（１）に設けられたものであると、この係止片（６）がテーパー（８）により上カバー（２）の側面側端部に設けられた被係止部（７）に簡単、かつ、スムーズに嵌まり込み、その結果、上カバー（２）と生ゴミ処理機本体（１）の側面部分（４）との間の隙間やずれをより一層確実になくすことができるものとなり、外観上でより一層きれいに納まるものである。
【００２７】
本発明の生ゴミ処理装置によると、図１ないし図３に示すごとく、投入した生ゴミを分解処理する生ゴミ処理機本体（１）、および、この生ゴミ処理機本体（１）の外形前面を形成する断面略コ字型の上カバー（２）とこの上カバー（２）の下方に位置する下カバー（３）を有する生ゴミ処理装置であって、上記生ゴミ処理機本体（１）と上記上カバー（２）の側面側端部とのいずれか一方に係止片（６）を設け、他方にこの係止片（６）が係止する被係止部（７）を設け、さらに、この被係止部（７）と上記係止片（６）とのいずれか一方にテーパー（８）が形成されて、同被係止部（７）と同係止片（６）とを互いに係止させてなるので、上カバー（２）と下カバー（３）とは簡単に取り付けられる上に、上記生ゴミ処理機本体（１）と上記上カバー（２）の側面側端部とのいずれか一方に設けられた係止片（６）と他方に設けられた被係止部（７）とが互いに係止して、被係止部（７）と係止片（６）とのいずれか一方に形成されたテーパー（８）の存在により、係止片（６）が同テーパー（８）に誘導されるようにして被係止部（７）の内方へ嵌まり込み、その結果、被係止部（７）と係止片（６）とを互いに簡単、かつ、スムーズに係止させることができるものである。そして、このテーパー（８）により、上カバー（２）と生ゴミ処理機本体（１）の側面部分（４）との間の隙間やずれが埋められるものとなり、上カバー（２）と生ゴミ処理機本体（１）の側面部分（４）との間の隙間やずれができがたいものとなり、外観上できれいに納まるものである。
【００２８】
すなわち、本発明は、上カバー（２）と生ゴミ処理機本体（１）の側面部分（４）との間の隙間やずれを確実になくすことができるものである。
【００２９】
【発明の効果】
本発明の請求項１に係る生ゴミ処理装置によると、上カバー（２）と下カバー（３）とは簡単に取り付けられる上に、上記生ゴミ処理機本体（１）と上記上カバー（２）の側面側端部とのいずれか一方に設けられた係止片（６）と他方に設けられた被係止部（７）とが互いに係止して、被係止部（７）と係止片（６）とのいずれか一方に形成されたテーパー（８）の存在により、係止片（６）が同テーパー（８）に誘導されるようにして被係止部（７）の内方へ嵌まり込み、その結果、被係止部（７）と係止片（６）とを互いに簡単、かつ、スムーズに係止させることができるものである。そして、このテーパー（８）により、上カバー（２）と生ゴミ処理機本体（１）の側面部分との間の隙間やずれが埋められるものとなり、上カバー（２）と生ゴミ処理機本体（１）の側面部分との間の隙間やずれができがたいものとなり、外観上できれいに納まるものである。
【００３０】
すなわち、本発明は、上カバー（２）と生ゴミ処理機本体（１）の側面部分との間の隙間やずれを確実になくすことができるものである。
【００３１】
本発明の請求項２に係る生ゴミ処理装置によると、請求項１記載の場合に加えて、この係止片（６）がテーパー（８）により生ゴミ処理機本体（１）に設けられた被係止部（７）に簡単、かつ、スムーズに嵌まり込み、その結果、上カバー（２）と生ゴミ処理機本体（１）の側面部分との間の隙間やずれをより一層確実になくすことができるものとなり、外観上でより一層きれいに納まるものである。
【００３２】
本発明の請求項３に係る生ゴミ処理装置によると、請求項１記載の場合に加えて、この係止片（６）がテーパー（８）により上カバー（２）の側面側端部に設けられた被係止部（７）に簡単、かつ、スムーズに嵌まり込み、その結果、上カバー（２）と生ゴミ処理機本体（１）の側面部分との間の隙間やずれをより一層確実になくすことができるものとなり、外観上でより一層きれいに納まるものである。
【図面の簡単な説明】
【図１】本発明の一実施形態に係る生ゴミ処理装置の斜視図である。
【図２】（ａ）は、本発明の一実施形態に係る生ゴミ処理装置の要部の分解斜視図であり、（ｂ）は、（ａ）の生ゴミ処理装置の要部透視図である。
【図３】本発明の他の一実施形態に係る生ゴミ処理装置の要部の分解斜視図である。
【図４】従来例に係る生ゴミ処理装置の要部断面図である。
【符号の説明】
１    生ゴミ処理機本体
２    上カバー
３    下カバー
６    係止片
７    被係止部
８    テーパー
【図１】
0003837930.tif 000002
【図２】
0003837930.tif 000003
【図３】
0003837930.tif 000004
【図４】
0003837930.tif 000005